(57)【要約】【課題】吊りチェーンを弛めたままでチェーン張りスプリングを操作レバーに掛け止めてから、操作レバーを可動体に係止する簡単な操作でチェーン張りスプリングを引っ張り状態にして可動体に容易かつ迅速に連結することができる昇降装置を提供する。【解決手段】可動体５の吊りチェーン８の一端を連結する部位に、基端を軸止されてその軸心を支点として上下動自在の操作レバー１６を備える。操作レバー１６にチェーン張りスプリング９を掛け止めるスプリングフック１７を設ける。可動体５には、操作レバー１６をチェーン張りスプリング９を引っ張り状態にしながら係止するレバーフック１８を備える。操作レバー１６は、その基端を支点、スプリングフック１７の部位を作用点、先端部を力点とする梃子構造を成している。【選択図】        図２
2004210448.tif 000002
【特許請求の範囲】
【請求項１】
垂直機枠に可動体を介して支持された昇降台を備え、垂直機枠内の下部に電動駆動機を設け、この電動駆動機の出力軸と垂直機枠の上端部に設けた回転吊軸との間に懸架した吊りチェーンの両端をそのいずれか一端にチェーン張りスプリングを介して可動体に連結して、電動駆動機により可動体が昇降するように構成した昇降装置において、可動体の吊りチェーンの一端を連結する部位に、基端を軸止されてその軸心を支点として上下動自在の操作レバーを備えており、この操作レバーにチェーン張りスプリングを掛け止めし、チェーン張りスプリングを引っ張り状態にして操作レバーを可動体に係止するチェーン張りスプリングの連結機構を備えてなることを特徴とする昇降装置。
【請求項２】
チェーン張りスプリングの連結機構は、その操作レバーの可動体に軸止された基端の軸心を支点、チェーン張りスプリングの掛け止め部位を作用点、先端部を力点とする梃子構造であることを特徴とする請求項１に記載の昇降装置。
【請求項３】
操作レバーには、チェーン張りスプリングの鈎部を掛ける上向きに開口したスプリングフックを備え、可動体には、操作レバーのスプリングフックより先端側を、チェーン張りスプリングを引っ張って係止する上向きに開口したレバーフックを備えていることを特徴とする請求項１または２に記載の昇降装置。
【請求項４】
操作レバーの可動体に対する軸止め部には、操作レバーを挟んで軸方向の圧縮バネを介装して、操作レバーを前後方向に傾動可能にしてあることを特徴とする請求項１ないし３のいずれかに記載の昇降装置。
【請求項５】
レバーフックは、チェーン張りスプリングの引っ張り度調整可能な構成であることを特徴とする請求項３に記載の昇降装置。
【請求項６】
レバーフックは、操作レバーに対して段差を有する複数の係止部をなしていることを特徴とする請求項５に記載の昇降装置。
【請求項７】
レバーフックは、チェーン張りスプリングの引っ張り度調整方向に可動体に対して取付位置変更可能な構成であることを特徴とする請求項５に記載の昇降装置。
【発明の詳細な説明】
【０００１】
【発明の属する技術分野】
本発明は、袋詰め穀類等を搬出し易い高さまで上昇させる等の用途に供する昇降装置に関するものである。
【０００２】
【従来の技術】
この種の昇降機としては、例えば、特開２００１−４８１０２号公報または特開平１０−１６７７００号公報に掲載されているものなどが知られている。
【０００３】
【発明が解決しようとする課題】
前掲の特開２００１−４８１０２号公報または特開平１０−１６７７００号公報に掲載されている昇降装置は、昇降台を昇降自在に支持する可動体を吊りチェーンで吊って上げ下げする構成であり、可動体と吊りチェーンとの間には、吊りチェーンを常に適度に保つため、コイル状のチェーン張りスプリングを介在させてあるが、このチェーン張りスプリングは硬直性の高いものであるから、図９および図１０に示す従来の構成では、吊りチェーンａの他端に連結されているチェーン張りスプリングｂに係合したボルトｃを可動体ｄの取付孔に挿入して、ナットｅで締め上げることにより、吊りチェーンａの張り状態とすることは、ナットｅの締め上げ操作が容易でないばかりでなく、その作業も煩雑である。
【０００４】
そこで、本発明は、可動体の吊りチェーンの一端を連結する部位に、基端を軸止されてその軸心を支点として上下動自在の操作レバーを備えて、この操作レバーにチェーン張りスプリングを掛け止めし、操作レバーをチェーン張りスプリングを引っ張り状態にしながら可動体に係止する構成としたことにより、吊りチェーンを弛めたままでチェーン張りスプリングを操作レバーに掛け止めてから、操作レバーを可動体に係止する簡単な操作でチェーン張りスプリングを引っ張り状態にして可動体に容易かつ迅速に連結することができる昇降装置を提供するものである。
【０００５】
【課題を解決するための手段】
上記目的を達成するための本発明に係る請求項１に係る昇降装置は、垂直機枠に可動体を介して支持された昇降台を備え、垂直機枠内の下部に電動駆動機を設け、この電動駆動機の出力軸と垂直機枠の上端部に設けた回転吊軸との間に懸架した吊りチェーンの両端をそのいずれか一端にチェーン張りスプリングを介して可動体に連結して、電動駆動機により可動体が昇降するように構成した昇降装置において、可動体の吊りチェーンの一端を連結する部位に、基端を軸止されてその軸心を支点として上下動自在の操作レバーを備えており、この操作レバーにチェーン張りスプリングを掛け止めし、チェーン張りスプリングを引っ張り状態にして操作レバーを可動体に係止するチェーン張りスプリングの連結機構を備えてなることを特徴とするものである。
【０００６】
また、請求項２に係る昇降装置は、請求項１に記載の構成において、チェーン張りスプリングの連結機構は、その操作レバーの可動体に軸止された基端の軸心を支点、チェーン張りスプリングの掛け止め部位を作用点、先端部を力点とする梃子構造であることを特徴とするものである。
【０００７】
請求項３に係る昇降装置は、請求項１または２に記載の構成において、操作レバーには、チェーン張りスプリングの鈎部を掛ける上向きに開口したスプリングフックを備え、可動体には、操作レバーのスプリングフックより先端側を、チェーン張りスプリングを引っ張って係止する上向きに開口したレバーフックを備えていることを特徴とするものである。
【０００８】
請求項４に係る昇降装置は、請求項１ないし３のいずれかに記載の構成において、操作レバーの可動体に対する軸止め部には、操作レバーを挟んで軸方向の圧縮バネを介装して、操作レバーを前後方向に傾動可能にしてあることを特徴とするものである。
【０００９】
請求項５に係る昇降装置は、請求項３に記載の構成において、レバーフックは、チェーン張りスプリングの引っ張り度調整可能な構成であることを特徴とするものである。
【００１０】
請求項６に係る昇降装置は、請求項５に記載の構成において、レバーフックは、操作レバーに対して段差を有する複数の係止部をなしていることを特徴とするものである。
【００１１】
請求項７に係る昇降装置は、請求項５に記載の構成において、レバーフックは、チェーン張りスプリングの引っ張り度調整方向に可動体に対して取付位置変更可能な構成であることを特徴とするものである。
【００１２】
【発明の実施の形態】
図１は本発明の一実施の形態に係る昇降装置の概略側面図、図２は同上一部を示す斜視図、図３は図２のさらに一部を示す正面図および斜視図、図４は一部の詳細斜視図、図５はチェーン張りスプリングの掛け止め態様の他例を示す斜視図、図６は図３に対応して本発明の他の実施の形態を示す正面図および斜視図、図７は図３に対応して本発明のさらに他の実施の形態を示す正面図および斜視図、図８は図３に対応して本発明のまたさらに他の実施の形態を示す正面図および斜視図である。
【００１３】
図１に示すように、１は昇降装置である。この昇降装置１は、基台２に垂直に立設した垂直機枠３と、その前側で昇降する昇降台４を備えて成るものである。すなわち、垂直機枠３は枠状をなしており、それに可動体５が昇降自在に支持されていて、この可動体５に昇降台４が連結されている。そして、垂直機枠３の上端部の回転吊軸に設けたスプロケット６と下端部に設けたスプロケット７に懸架された吊りチェーン８の両端は可動体５の上下部位に連結され、かつその下方側の一端に可動体５との間にはチェーン張りスプリング９を介在させてある。
【００１４】
１０は電動駆動機であって、上記スプロケット７はこの電動駆動機１０の出力軸に取り付けられており、スプロケット７の正回転により可動体５を介して昇降台４が上昇し、逆回転により昇降台４が下降するように成っている。電動駆動機１０はブレーキ機能を備えたギアモータである。１１は上限マイクロスイッチ、１２は下限マイクロスイッチであって、昇降台４の上昇時の上限は上限マイクロスイッチ１１により、また昇降台４の下降時の下限は下限マイクロスイッチ１２により可動体５の上下限位置が検知され、それぞれの位置で自動停止するように成っている。１３は載荷感知スイッチ板であって、下限位置にある昇降台４上に荷が載ると載荷感知スイッチ板１３が作動して昇降台４を自動的に上昇させる制御機能を備えている。１４は間隔保持のためのストッパである。
【００１５】
本発明に係る昇降装置１においては、図２おとび図３に詳細を示すように、可動体５の吊りチェーン８の一端を連結する部位に、基端を止軸１５で軸止されてその軸心を支点ａとして上下動自在の操作レバー１６を備えている。１６ａはその基端側の軸止板部である。この操作レバー１６にはスプリングフック１７を備えている。このスプリングフック１７は、上向きに開口した係止部を成しており、その係止部に吊りスプリング９の鈎部９ａを係止するように成っている。なお、スプリングフック１７は、図５に示すように、チェーン張りスプリング９の鈎部を掛ける丸孔を設けたものであってもかまわない。
【００１６】
可動体５には、操作レバー１６の上記スプリングフック１７より先端側を、チェーン張りスプリング９を引っ張って係止する上向きに開口したレバーフック１８を備えている。図４に詳細を示すように、止軸１５は可動体５に対してその軸方向に余裕を設けてあって、操作レバー１６の軸止板部１６ａを挟んで軸方向の圧縮バネ１９，１９を介装してあり、操作レバー１６は前後方向に傾動可能になっている。上記操作レバー１６はその止軸１５の軸心が上記のように支点Ａ、スプリングフック１７の部位が作用点Ｂ、先端部が力点Ｃとする梃子構造を成している。可動体５の操作レバー１６の上方に対向する部分は一体のベース２０を成している。
【００１７】
操作レバー１６のスプリングフック１７にチェーン張りスプリング９の鈎部９ａを掛け止める際には、操作レバー１６をレバーフック１８からはずして下方向に動かし、吊りチェーン８が弛んだ状態で操作レバー１６のスプリングフック１７に掛け止め、次いで操作レバー１６の先端部を押し上げながらレバークック１８に係止すれば、チェーン張りスプリング９が吊りチェーン８を適度に張った状態として可動体５に連結される。操作レバー１６はその支点ａの止軸１５に圧縮スプリング１９，１９が介在してあって、ベース１９に対して前方向に傾動させることができるので、スプリングフック１７が上向きに開口していることと相俟って、スプリングフック１７には、チェーン張りスプリング９が硬直性の高いものであってもその鈎部９ａを容易に掛け止めることができるうえ、操作レバー１６をレバーフック１８に係止する操作も容易にできる。そのうえ、操作レバー１６をチェーン張りスプリング９を伸長させながらレバーフック１８に係止する際には、操作手の一部の指をベース２０に掛けて他の指で操作レバー１６を持ち上げるようにすれば、ベース２０を支えとしてその操作を的確かつ容易に行うことができる。
【００１８】
そして、操作レバー１６は、その基端が支点Ａ、チェーン張りスプリング９の掛け止め部が作用点Ｂ、先端部が力点Ｃの梃子構造を成しているので、支点Ａと作用点Ｂの間隔より作用点Ｂと力点Ｃの間隔を大きくとることにより、チェーン張りスプリング９が硬直性の高いものであっても、それを掛け止めた操作レバー１６を比較的小さい力でレバーフック１８に掛け外しができる。
【００１９】
レバーフック１８は、図６ないし図８にそれぞれ示すように、チェーン張りスプリング９の引っ張り度調整可能な構成とすることができる。すなわち、図４に示すように、レバーフック１８に長孔２１を設けて、可動体５に対する取付位置を変更する構成、図５に示すように、操作レバー１６に対して段差を有する複数の係止部２２を設けた構成、さらには図６に示すように、レバーフック１８をそれと一体のボルト２３により可動体５に装着してナット２４，２４により上下の固定高さを調節する構成とすれば、レバーフック１８によりチェーン張りスプリング９の張り度合を調整することができる。
【００２０】
【発明の効果】
本発明によれば、可動体の吊りチェーンの一端を連結する部位に、基端を軸止されてその軸心を支点として上下動自在の操作レバーを備えて、この操作レバーにチェーン張りスプリングを掛け止めして、操作レバーをチェーン張りスプリングを引っ張り状態にしながら可動体に係止する構成としたことにより、吊りチェーンを弛めたままでチェーン張りスプリングを操作レバーに掛け止めてから、操作レバーを可動体に係止する簡単な操作でチェーン張りスプリングを引っ張り状態にして可動体に容易かつ迅速に連結することができる昇降装置を提供し得るものである。
【図面の簡単な説明】
【図１】本発明の一実施の形態に係る昇降装置の概略側面図である。
【図２】同上一部を示す斜視図である。
【図３】図２のさらに一部を示す正面図および斜視図である。
【図４】一部の詳細斜視図である。
【図５】チェーン張りスプリングの掛け止め態様の他例を示す斜視図である。
【図６】図３に対応して本発明の他の実施の形態を示す正面図および斜視図である。
【図７】図３に対応して本発明のさらに他の実施の形態を示す正面図および斜視図である。
【図８】図３に対応して本発明のまたさらに他の実施の形態を示す正面図および斜視図である。
【図９】昇降装置の従来例を示す縦断側面図である。
【図１０】同上一部の斜視図である。
【符号の説明】
１  昇降装置
２  基台
３  垂直機枠
４  昇降台
５  可動体
６  スプロケット
７  スプロケット
８  吊チェーン
９  チェーン張りスプリング
９ａ  鈎部
１０  電動駆動機
１１  上限マイクロスイッチ
１２  下限マイクロスイッチ
１３  載荷感知スイッチ板
１４  ストッパ
１５  止軸
１６  操作レバー
１６ａ  軸止板部
１７  スプリングフック
１８  レバーフック
１９，１９  圧縮バネ
２０  ベース
２１  長孔
２２  段差を有する複数の係止部
２３  ボルト
２４，２４  ナット
Ａ  支点
Ｂ  作用点
Ｃ  力点
【図１】
2004210448.tif 000003
【図２】
2004210448.tif 000004
【図３】
2004210448.tif 000005
【図４】
2004210448.tif 000006
【図５】
2004210448.tif 000007
【図６】
2004210448.tif 000008
【図７】
2004210448.tif 000009
【図８】
2004210448.tif 000010
【図９】
2004210448.tif 000011
【図１０】
2004210448.tif 000012